【手続補正書】
【提出日】平成25年7月3日(2013.7.3)
【手続補正１】
【補正対象書類名】特許請求の範囲
【補正対象項目名】全文
【補正方法】変更
【補正の内容】
【特許請求の範囲】
【請求項１】
界面（４３）を形成する共鳴媒質（４１）および非共鳴媒質（４２）を含むタイプのサンプル（１０５）中に誘導された共鳴非線形光信号を検出するための装置（１００）であって、
第１の所定の角振動数ωｐにて所定タイプのサンプルの共鳴媒質を励起するためのポンプビームと呼ばれる少なくとも１つの第１の励起光ビームの放射源（８０１）と、
サンプルに入射する前記入射ポンプビームの光軸に関して少なくとも２つの対称な方向（ベクトルｋ，ベクトルｋ’）において、前記ポンプビームとサンプルの共鳴媒質−非共鳴媒質間の軸方向界面との相互作用から生じた非線形光信号を検出するための光検出モジュール（１０６）と、
検出された信号（ＩＦｗｄ（ベクトルｋ），ＩＦｗｄ（ベクトルｋ’））を処理することにより、検出信号中の差を得ることを可能にする処理装置（１２５）と、を含み、
得られた信号の差は、共鳴媒質の振動共鳴または電子共鳴の指標となる装置。
【請求項２】
放射源（８０１）は、第１の角振動数ωｐとは異なる少なくとも第２の角振動数ωｓにて、共鳴媒質を励起するための第２の励起ビーム放射を少なくとも可能にし、
第１の励起ビームと第２の励起ビームとは同一直線上である請求項１に記載の装置。
【請求項３】
放射源は、角振動数ωｐのポンプビームおよび角振動数ωｓのストークスビームの放射を可能にし、これによって前記サンプル中で、角振動数ωａｓ＝２ωｐ−ωｓのＣＡＲＳ散乱信号と呼ばれる非線形信号が生じることが可能となり、
得られた信号の差は、共鳴媒質のラマン放射の指標となる請求項２に記載の装置。
【請求項４】
共通の焦点体（４５）中にて１以上の前記励起ビームの焦点を合せることにより、前記サンプルの共鳴媒質と非共鳴媒質との間の界面を妨害する焦点レンズ（１０７）を含む請求項１〜３のいずれか１項に記載の装置。
【請求項５】
光検出モジュール（１０６）は、少なくとも１つのシャドーマスクと、光軸に関して対称な２つの相補的な半空間に統合された非線形光信号の検出を可能とする少なくとも１つの検出器とを含み、
差は、２つの半空間にて統合された信号に関してとられる請求項１〜４のいずれか１項に記載の装置。
【請求項６】
光検出モジュール（１０６）は、
集められた非線型光信号を第１の経路と第２の経路に分離させる光スプリット要素（１１１）と、
各経路において、
非線型光信号を隠すシャドーマスク（１１４，１１５）と、
検出器（１１６，１１７）と、を含み、
各経路の信号は、２つの半空間に従ってそれぞれ隠される請求項５に記載の装置。
【請求項７】
光検出モジュールは、前記非線型光信号を収集するための集光レンズ（１１１）を含む請求項５または６に記載の装置。
【請求項８】
１つ以上のシャドーマスクが、射出瞳または集光レンズの射出瞳の像に集中される請求項７に記載の装置。
【請求項９】
光検出モジュール（１０６）は、光軸に関して対称な方向に収集された非線型光信号を１つ１つ検出することを可能にする画像記録システム（１２０）を含み、
差は、検出された各信号対に関してとられる請求項１〜４のいずれか１項に記載の装置。
【請求項１０】
光検出モジュールは、前記非線型光信号を収集するための集光レンズを含む請求項９に記載の装置。
【請求項１１】
画像記録システムは、集光レンズの射出瞳上または射出瞳の像上に配置されている請求項１０に記載の装置。
【請求項１２】
前記非線形光信号の光検出モジュール（１０６）は、所定の振動数（ν）にて光軸の周りを回転するマスク（１３０）を含み、
マスクは、前記信号を部分的に隠し、
検出器は、マスクによって隠されない空間の一部に統合された光信号の検出を可能にすることによって、マスクの前記回転振動数にて調節され、最大値および最小値を有する信号を搬送し、
処理装置（１２５）は、マスクの前記回転振動数にて信号の振動数成分の振幅を得るために前記変調信号の処理を可能にし、
振幅は、前記最大値と最小値の差に比例し、共鳴媒質の振動共鳴または電子共鳴の指標となる請求項１〜４のいずれか１項に記載の装置。
【請求項１３】
処理装置はまた、調節された検出信号の振動数成分の位相を得ることも可能にし、
位相は、共鳴媒質および非共鳴媒質の相対位置の指標となる請求項１２に記載の装置。
【請求項１４】
マスクは、光軸の周りを回転する半円盤（１３４）を含む請求項１２または１３に記載の装置。
【請求項１５】
光検出モジュールは、前記非線形光信号を集めるための装置を含む請求項１２〜１４のいずれか１項に記載の装置。
【請求項１６】
マスクは、収集装置の射出瞳または前記射出瞳の瞳孔の像に集中される請求項１５に記載の装置。
【請求項１７】
共鳴媒質と非共鳴媒質との界面の異なる位置にて、１以上の励起ビームが所定タイプのサンプルを妨害することを可能とする、１以上の励起ビームを角度スキャンするための装置をさらに含む請求項１〜１６のいずれか１項に記載の装置。
【請求項１８】
放射源が少なくとも１つの可変波長励起ビームを放射することにより、所定タイプのサンプルの共鳴媒質の振動共鳴または電子共鳴のスペクトルを得ることを可能にする請求項１〜１７のいずれか１項に記載の装置。
【請求項１９】
サンプル（１０５）中に誘導された共鳴非線形光信号を検出するための方法であって、
サンプルは、界面（４３）を形成する共鳴媒質（４１）および非共鳴媒質（４２）を含み、
本方法は、
第１の所定の角振動数ωｐにて、ポンプビームと呼ばれる共鳴媒質の少なくとも１つの第１の励起ビームを放射するステップと、
光軸に関して少なくとも２つの対称な方向（ベクトルｋ、ベクトルｋ’）において、１以上の前記ビームとサンプルの共鳴媒質−非共鳴媒質間の軸方向界面との相互作用から生じた非線形光信号を検出するステップと、
検出された信号（ＩＦｗｄ（ベクトルｋ），ＩＦｗｄ（ベクトルｋ’））を処理することにより、前記信号間の差を得ることを可能にするステップと、を含み、
前記ポンプビームは、光軸に沿ってサンプルに入射し、共鳴媒質と非共鳴媒質との前記界面を妨害し、
得られた信号の差は、サンプルの共鳴媒質の振動共鳴または電子共鳴の指標となる方法。
【請求項２０】
第１の角振動数ωｐとは異なる少なくとも１つの第２の角振動数ωｓにて共鳴媒質の少なくとも１つの第２の励起ビームを放射するステップを含む請求項１９に記載の方法。
【請求項２１】
角振動数ωｐのポンプビームおよび角振動数ωｓのストークスビームを放射するステップを含み、
前記ポンプビームとストークスビームとの相互作用から生じた非線形光信号は角振動数ωａｓ＝２ωｐ−ωｓのＣＡＲＳ散乱信号と呼ばれる信号であって、 
信号の差は、共鳴媒質のラマン放射の指標である請求項２０に記載の方法。
【請求項２２】
１以上の前記励起ビームは、共通の焦点体（４５）中へと集中されることにより、共鳴媒質と非共鳴媒質との間で前記界面が妨害されることを可能とする請求項１９〜２１のいずれか１項に記載の方法。
【請求項２３】
非線型光信号の検出は、光軸に関して対称な２つの相補的な半空間へと信号を統合することにより実現され、
検出された信号を処理するステップは、２つの半空間へと統合された信号間の差を計算することを含む請求項１９〜２２のいずれか１項に記載の方法。
【請求項２４】
非線形信号を検出するステップは、光軸に関して対称な方向に非線形光信号を１つ１つ検出することにより実現され、
信号を処理するステップは、検出された各信号対の信号間の差を計算することを含む請求項１９〜２２のいずれか１項に記載の方法。
【請求項２５】
非線形光信号を検出するステップは、所定の振動数（ν）にて光軸の周りを回転するマスク（１３０）によって、前記非線形光信号を部分的に隠すことを含み、
光信号を検出するステップは、最大値と最小値を有するマスクの前記回転振動数にて変調信号を搬送するために、マスクによって隠されていない空間の一部へと統合し、
信号を処理するステップは、前記変調信号のマスクの前記回転振動数における振動数成分の振幅を決定することを含み、
振幅は、変調信号の前記最大値と最小値の差に比例し、共鳴媒質の振動共鳴または電子共鳴の指標となる請求項１９〜２２のいずれか１項に記載の方法。
【請求項２６】
調節検出信号の振動数成分の位相を決定するステップをさらに含み、
位相は、共鳴媒質および非共鳴媒質の相対位置の指標となる請求項２５に記載の方法。
【請求項２７】
１以上の励起ビームが、角度スキャンを受けることにより、共鳴媒質と非共鳴媒質との間の界面の複数の位置にてサンプルを妨害する請求項１９〜２６のいずれか１項に記載の方法。
【請求項２８】
少なくとも１つの励起ビームが可変の放射波長を有することにより、共鳴媒質の振動共鳴または電子共鳴のスペクトルを得ることが可能となる請求項１９〜２７のいずれか１項に記載の方法。